(57)【特許請求の範囲】
【請求項１】
測定者が自己の人体の鼓動である脈拍または心拍を触診により感知したことに応じて操作することによって、前記鼓動の感知を一つずつ入力できる鼓動入力手段と、
前記鼓動の感知が入力された各時間を測定できる計時手段と、
前記鼓動の感知が入力された各々の時間、及び前記入力された鼓動の感知の数を記憶することができる記憶手段と、
単位時間あたりの鼓動の数を演算することができる演算手段と、
前記演算された単位時間あたりの鼓動の数を少なくとも表示できる表示手段とを有し、
前記演算手段は、測定者による鼓動の感知に伴う前記鼓動入力手段に対する第一回目の操作より一定回数の操作が行われたか否かを判断し、前記一定回数の操作が行われた場合に、前記計時手段による時間の計測を開始するとともに、それ以降の操作に伴う鼓動の感知が入力された時間及び鼓動の感知の数を記憶手段に記憶し、前記記憶手段に記憶された前記一定回数の操作以降の操作に伴う鼓動の感知が入力された時間及び鼓動の感知の数に基づいて、単位時間当たりの鼓動の数を演算するよう構成されている、人体の鼓動の測定装置。
【請求項２】
前記演算手段は、前記単位時間当たりの鼓動の数に基づいて運動強度を求めるように構成された請求項１に記載の人体の鼓動の測定装置。
【請求項３】
測定者が運動を行ったことに伴う運動量を定量的に測定できる運動量測定手段をさらに備え、
前記演算手段は、前記運動量測定手段により測定される運動を行った後の単位時間当たりの鼓動の数を求めるとともに、前記運動を行った後の単位時間当たりの鼓動の数に基づく運動強度を求めるように構成された請求項１に記載の人体の鼓動の測定装置。
【請求項４】
測定者が運動を行ったことに伴う運動量を定量的に測定できる運動量測定手段をさらに備え、
前記演算手段は、該運動量測定手段による測定を行う前の測定者の身体の安静時における単位時間当たりの鼓動の数を求めるとともに、前記運動量測定手段により測定される運動を行った後の単位時間当たりの鼓動の数を求め、前記安静時における単位時間当たりの鼓動の数と前記運動を行った後の単位時間当たりの鼓動の数とに基づく運動強度を求めるように構成された請求項１に記載の人体の鼓動の測定装置。
【請求項５】
前記運動量測定手段が、測定者の脚部を前後に動かす運動に伴う運動量としての歩数を測定する歩数測定手段であることを特徴とする、請求項３又は４に記載の人体の鼓動の測定装置。
【請求項６】
数値を含むデータを入力できるデータ入力部を備え、該データ入力部の操作を介して前記鼓動の感知の入力を時間とともに測定する回数を予め入力できるように構成された請求項１乃至５のいずれかに記載の人体の鼓動の測定装置。
【請求項７】
測定者の脚部を前後に動かす運動に伴う運動量としての歩数を測定する歩数測定手段と、
測定者の体脂肪率を測定するための体脂肪率測定手段と、
前記演算手段により人体の鼓動を測定する機能のモード、前記歩数測定手段により歩数を測定する機能のモード、および、前記体脂肪率測定手段により体脂肪率を測定する機能のモードのうち少なくとも一つの機能のモードを選択できる切り替えキーとを有し、
前記演算手段は、前記切り替えキーの操作により、前記体脂肪率を測定する機能と前記歩数を測定する機能とを組み合せて用いるモードが選択された場合に、前記歩数計測手段により求められた運動による歩数から当該歩数に相当する運動量に対応する消費カロリーを求めるとともに、前記体脂肪率測定手段により測定された前記運動を行う前後での体脂肪率から前記運動を行う前後での体脂肪の減少量を求めるように構成されている、請求項２乃至４に記載の人体の鼓動の測定装置。
【発明の詳細な説明】
【０００１】
【発明の属する技術分野】
この発明は、測定者が自己の人体の鼓動である脈拍または心拍の数を測定することができる、人体の鼓動の測定装置に関する。
【０００２】
【従来の技術】
人体の脈拍や心拍を測定できる装置として、腕や手の指等に装着し、脈圧センサまたは光学センサにて脈拍数を測定するもの、あるいは、身体に装着した電極から得られる心電信号から心拍数を測定するものがある。
【０００３】
いずれも、脈拍または心拍信号の時間間隔または周期を測定するか、あるいは所定時間内の信号数を測定し、この測定値から演算によって単位時間（例えば１分間）あたりの脈泊数または心拍数を求めるようにしている。
【０００４】
【発明が解決しようとする課題】
しかし、従来より用いられてきた脈泊や心拍を測定する装置は、医療用として用いられるものについては、装置が大型でかつ高価なものであった。また、個人用として用いられるものについても、脈拍等を物理量として検出するためのセンサやセンサからの信号を処理するための複雑な信号処理回路等を必要とし、装置として手軽に用い得るものではなく、また価格的にも高価であった。
【０００５】
そこで、本発明は、簡易な構成とされ、人体の鼓動である脈拍または心拍を簡易に測定することができ、価格的にも低価格とできる、人体の鼓動の測定装置を提供することを目的とする。
【０００６】
【課題を解決するための手段】
上記課題を解決するため、本発明にかかる人体の鼓動の測定装置は、測定者が自己の人体の鼓動である脈拍または心拍を触診により感知したことに応じて操作することによって、前記鼓動の感知を一つずつ入力できる入力手段と、前記鼓動の感知が入力された各時間を測定できる計時手段と、前記鼓動の感知が入力された各々の時間、及び前記入力された鼓動の感知の数を記憶することができる記憶手段と、前記記憶手段に記憶された鼓動の感知が入力された時間及び鼓動の感知の数に基づいて、単位時間当たりの鼓動の数を演算することができる演算手段と、前記演算された単位時間あたりの鼓動の数を少なくとも表示できる表示手段とを有して構成されている。
また、以上の人体の鼓動の測定装置について、前記演算手段は、測定者による鼓動の感知に伴う前記鼓動入力手段に対する第一回目の操作より一定回数の操作が行われたか否かを判断し、前記一定回数の操作が行われた場合に、前記計時手段による時間の計測を開始するとともに、それ以降の操作に伴う鼓動の感知が入力された時間及び鼓動の感知の数を記憶手段に記憶し、前記記憶手段に記憶された前記一定回数の操作以降の操作に伴う鼓動の感知が入力された時間及び鼓動の感知の数に基づいて、単位時間当たりの鼓動の数を演算するよう構成されている。
かかる人体の鼓動の測定装置によると、測定者の触診による鼓動の感知を鼓動入力手段により入力する操作を行うにあたり、前記一定回数だけ鼓動入力手段に対する操作の訓練を行えるので、鼓動入力手段の操作の正確性を高めることができる。これにより、鼓動の感知が入力された時間の測定を行うにあたり、測定者の人体の鼓動に対して正確な測定を期することができる。
【０００７】
この発明にかかる人体の鼓動の測定装置によると、測定者が触診により鼓動を感知したことに応じた鼓動入力手段に対する操作を介して鼓動の数を測定することができ、そして単位時間当たりの鼓動の数を求めることができる。
【０００８】
これにより、人体の鼓動である脈拍や心拍を測定する装置について、簡単な操作で鼓動を測定できるものを実現することができる。また、鼓動を測定するにあたり、脈圧センサや光学センサ等の複雑な機構を要することなく、簡易な構成により実現できる。これにより、価格的にも低価格で提供できるものとすることができる。
【０００９】
また、かかる人体の鼓動の測定装置について、前記測定された単位時間当たりの鼓動の数に基づき、運動強度を求めるように構成することができる（請求項２）。これにより、測定者の身体に関する重要な情報である運動強度を知ることができる。
【００１０】
また、以上の人体の鼓動の測定装置について（請求項１）、測定者が運動を行ったことに伴う運動量を定量的に測定できる運動量測定手段をさらに備え、
前記運動量測定手段により測定される運動を行った後の単位時間当たりの鼓動の数を求めるようにし、
前記運動を行った後の単位時間当たりの鼓動の数に基づく運動強度を求めるようにすることもできる（請求項３）。
【００１１】
これにより、運動量測定手段により測定された運動量を媒介として、その運動を行った後の鼓動の測定に基づく運動強度を求めることができ、測定者の身体に関する重要な情報を得ることができる。
【００１２】
また、以上の人体の鼓動の測定装置について（請求項１）、測定者が運動を行ったことに伴う運動量を定量的に測定できる運動量測定手段をさらに備え、
該運動量測定手段による測定を行う前の測定者の身体の安静時における単位時間当たりの鼓動の数を求めるようにするとともに、前記運動量測定手段により測定される運動を行った後の単位時間当たりの鼓動の数を求めるようにし、
前記安静時における単位時間当たりの鼓動の数と前記運動を行った後の単位時間当たりの鼓動の数とに基づく運動強度を求めるようにすることもできる（請求項４）。
【００１３】
これにより、運動量測定手段により測定された運動量を媒介として、その運動を行う前後における鼓動の測定に基づく運動強度を求めることができ、測定者の身体に関する重要な情報を得ることができる。
【００１４】
そして、前記運動量測定手段として、測定者の脚部を前後に動かす運動に伴う運動量としての歩数を測定する歩数測定手段を設けることができる（請求項５）。この歩数測定手段によると、測定者の歩数を測定することにより運動量の測定を行えるので、運動量を測定するための操作が複雑となることなく、操作の簡易なものにすることができる。また、歩数測定手段は、運動量測定手段として簡易に構成することができ、装置の構成が複雑化することもない。
【００１７】
また、以上の人体の鼓動の測定装置について、数値を含むデータを入力できるデータ入力部を備え、該データ入力部の操作を介して前記鼓動の感知の入力を時間とともに測定する回数を予め入力できるように構成することができる。これにより、測定者が感知した鼓動の数を時間とともに測定するにあたり、所定の精度で測定する上で十分な測定回数を予め入力することができるので、単位時間当たりの鼓動の数を精度良く求めることができる。
また、以上の人体の鼓動の測定装置について、測定者の脚部を前後に動かす運動に伴う運動量としての歩数を測定する歩数測定手段と、測定者の体脂肪率を測定するための体脂肪率測定手段と、前記演算手段により人体の鼓動を測定する機能のモード、前記歩数測定手段により歩数を測定する機能のモード、および、前記体脂肪率測定手段により体脂肪率を測定する機能のモードのうち少なくとも一つの機能のモードを選択できる切り替えキーとを有し、前記演算手段は、前記切り替えキーの操作により、前記体脂肪率を測定する機能と前記歩数を測定する機能とを組み合せて用いるモードが選択された場合に、前記歩数計測手段により求められた運動による歩数から当該歩数に相当する運動量に対応する消費カロリーを求めるとともに、前記体脂肪率測定手段により測定された前記運動を行う前後での体脂肪率から前記運動を行う前後での体脂肪の減少量を求めるように構成することができる。
【００１８】
【発明の実施の形態】
本発明の実施の形態について、図１乃至図５に基づいて説明する。図１は本発明の一実施形態である人体の鼓動の測定装置１０（以下、「測定装置１０」という）の斜視図である。
【００１９】
測定装置１０は、本体１に、人体の鼓動である脈拍または心拍を測定するための手段、人体の脚部を前後に動かす運動に伴う運動量としての歩数を測定するための歩数測定手段、及び体脂肪率を測定するための体脂肪率測定手段が組み込まれている。これにより、測定装置１０は、人体の鼓動を測定する機能に加えて、歩数を測定する機能、及び体脂肪を測定する機能も有している。
【００２０】
この測定装置１０を用いるにあたり、取り付け具１１によって人の衣服の腰部のベルト等に取り付け、日常的に携帯できるようになっている。なお、測定装置１０の人体への着用は、取り付け具１１によってベルトへ取り付ける以外にも、帽子、首掛け、ポケットに取り付ける他、腕時計のごとく手首に巻き付けるようにしてもよい。
【００２１】
本体１は、表面１ａ及び裏面１ｂと、その外周を囲む正面１ｃや背面１ｄ等の四つの端面とからなるカード型に形成されている。そして、本体１の表面１ａには操作部６と、表示部７とが配設されている。操作部６には、切り替えキー８、開始／終了キー９、及び選択キー５やデクリメントキー４ａ等からなるデータ入力キーが設けられている。
【００２２】
また、操作部６には、鼓動感知スイッチ１５も設けられている。この鼓動感知スイッチ１５は、人体の鼓動である脈泊または心拍を感知したことを入力するための鼓動入力手段を構成する。即ち、測定者が手による触診によって胸の心拍や手首の脈拍を感知したことに対応して鼓動感知スイッチ１５を押す操作を行うことによって、かかる鼓動の感知を一つづつ入力することができる。
【００２３】
切り替えキー８は、この測定装置１０でサポートされる前記複数の機能のモードの中から使用したい機能のモードを選択するためのキーである。即ち、切り替えキー８を操作することによって、測定装置１０を、人体の鼓動を測定する機能のモードとするか、歩数を測定する機能のモードとするか、あるいは体脂肪を測定する機能のモードとするかを選択できる。また、この切り替えキー８を操作することによって、これらの異なる機能を複数組み合わせた測定を行うモードを選択できるようにもされている。
【００２４】
開始／終了キー９は、歩数測定手段により歩数の測定を開始し、また、これを終了させるためのキーである。データ入力キーは、これを操作することにより数値を含んでなる各種のデータを入力することができ、データ入力部にあたる。この測定装置１０では、データ入力キーとして、データの項目を選択するための選択キー５と、数値データを減少させるためのデクリメントキー４ａと、数値データを増加させるためのインクリメントキー４ｂとが設けられている。
【００２５】
このデータ入力キーを操作することによって測定者の身長や体重等の身体的特徴を表す個人データを入力することもできるが、この個人データを入力する場合には、選択キー５の操作によって、個人データの項目を選択できるようにされている。そして、切り替えキー８の操作により選択された上記各機能のモードに応じて、必要な所要の個人データを、キー４ａ、４ｂ、５により入力できるようにされている。
【００２６】
例えば切り替えキー８の操作によって体脂肪計として機能させるモードが選択されると、体脂肪率を求めるために必要な個人データの項目を、選択キー５の操作によって選択できるようにされている。この体脂肪率を求めるための個人データの項目として、身長、体重、性別、年齢等がある。
【００２７】
また、このデータ入力キーを操作することによって、後に説明する操作訓練モードを実行する回数（Ｎ１）を入力することができる。また、このデータ入力キーを操作することによって、鼓動の感知の入力を時間とともに測定する回数（Ｎ２）を入力することもできる。なお、以上のデータ入力キーをいわゆるテンキーによって構成するのであっても構わない。
【００２８】
表示部７には、前記切り替えキー８の操作によって選択された機能のモードや、前記入力キーの操作によって入力された個人データが表示される。また、表示部７には、各機能のモードにおいて測定された各々の測定結果等が表示される。即ち、後に説明するようにして測定される人体の鼓動の数や、歩数計として機能させた場合における歩行や走行に伴う歩数の他、体脂肪計として機能させた場合における体脂肪率等の体脂肪に関する各種の内容を表示させることができる。
【００２９】
また、この測定装置１０は、以下に説明するように、体脂肪率を測定するための体脂肪率測定手段を備えている。即ち、本体１の正面側の端面１ｃには電極３ａと３ｂとが、本体１の背面側の端面１ｄには電極２ａと２ｂとが配設されており、これらの電極は、体脂肪率を求める上で必要である被検者の生体インピーダンスを計測するための電極である。そして、電極２ａと２ｂとが一対の電流路形成電極であり、電極３ａと３ｂとが一対の電圧計測用電極である。
【００３０】
そして、例えば、電極２ａに左手の人指し指、電極３ａに左手の親指を接触させるとともに、電極２ｂに右手の人指し指、電極３ｂに右手の親指を接触させることによって、両手を人体の両末端とする被検者の生体インピーダンスを測定できる。そして、これらの電極を介した被検者の生体インピーダンスは、測定装置１０の内部に設けられる周知のインピーダンス計測手段を備えるインピーダンス測定部により測定される。即ち、測定装置１０の内部には、前記電流路を形成するべく一定電流を出力するための定電流源を構成する素子や、電流路内の二点間の電圧を計測するための電圧計を構成する素子等が設けられている。
【００３１】
また、前記電極２ａ、２ｂ、３ａ、３ｂについて、その全部又は一部を、操作部６に備わる各種のキーと兼用するようにしてもよい。即ち、電極２ａ、２ｂ等を、前記操作キー４ａや５等として機能させ得るようにしてもよい。このようにすることにより、本体１に設けられるキーの数を低減させることが可能になり、測定装置１０をよりコンパクトにすることも可能となる。
【００３２】
また、この測定装置１０にあっては前記電極が本体１の端面１ｃと端面１ｄとに配設されているが、四つの電極を本体１の表面１ａ又は裏面１ｂに配設するのであってもよく、四つの電極を表面１ａと裏面１ｂとに配設するようにしてもよい。
【００３３】
また、測定装置１０の内部には、歩数センサー１３が組み込まれている。歩数センサー１３として、人の歩行や走行に伴う人体の上下動を検出できる周知の各種の素子により構成されたものを用いることができる。例えば、磁石とバネとセンサーとを組み合わせたものや、圧電素子、電磁ピックアップ、ホール素子の他、その他の加速度計を用いて人体の上下動を検出し、これを積算することによって歩数をカウントするものを用いることができる。
【００３４】
また、測定装置１０の内部には、時間を測定するための計時手段としてタイマー２３が組み込まれている。このタイマー２３により、後に説明するように、鼓動の感知が入力された時間に関する情報を得るようにされている。このタイマー２３は、後に図３に基づき説明する基準パルス信号に基づいて時間を計数するようになっている。
【００３５】
また、タイマー２３は、後に説明する鼓動測定ルーチンの指令によって、時間の測定を開始するべくスタートさせることができ、また測定値がリセットされるようにされている。また、タイマー２３は、鼓動測定ルーチンの指令によって、リセット後に再度測定を開始するべく、リスタートさせ得るようにもされている。
【００３６】
図２は、この測定装置１０の信号処理にかかるブロック図である。
【００３７】
図２に示される演算処理部２０は、単位時間当たりの鼓動の数の演算や、歩数の測定を行う前後で求められる運動強度の演算を行うようにされている。また、演算処理部２０は、体脂肪率を求める演算や、歩数の測定を行う前後での体脂肪の燃焼量を求める演算を行うようにされている。この演算処理部２０は、ＣＰＵ等からなる演算部２１と、記憶部２２とを備えている。演算部２１は、記憶部２２に記憶される内容に基づき演算動作する。
【００３８】
記憶部２２には、鼓動の感知が入力された数とその入力された時間とに基づき単位時間あたりの鼓動の数を求める演算式や、鼓動の数に基づく運動強度を求めるための演算式が記憶されている。
【００３９】
この運動強度は、以下のようにして求めることができる。即ち、測定者の身体の安静時に測定された単位時間当たりの鼓動の数と一定の運動を行った後に測定された単位時間当たりの鼓動の数との差を、測定者の年齢に対応する最大の鼓動の数と前記測定者の安静時に測定された単位時間当たりの鼓動の数との差で除する演算によって、運動強度を求めることができる。また、運動強度は、一定の運動を行った後に測定された単位時間当たりの鼓動の数を測定者の年齢に対応する最大の鼓動の数で除する演算によって求めることもできる。
【００４０】
また、記憶部２２には、前記生体インピーダンスと個人データとに基づき体脂肪率を求めるための演算式や、歩数の測定の前後での体脂肪率に基づき体脂肪の燃焼量を求める演算式も記憶されている。また、記憶部２２には、鼓動としての脈泊を測定するための手順を内容とする鼓動測定ルーチンも記憶されている。
【００４１】
また、記憶部２２は、後に説明する同期パルス信号が演算処理部２０へ入力されることに対応して、順次に鼓動の数として記憶されるようにされている。そして、同期パルス信号が入力された時間について、タイマー２３がスタートされて時間を測定できる状態とされていると、一つ前の鼓動との間の時間間隔が各鼓動の数に対応付けて記憶部２２に記憶されるようにされている。
【００４２】
また、記憶部２２には、インピーダンス測定部１２により前記電極３ａ等を介して測定された生体インピーダンスの測定値や、これに基づき求められた体脂肪率も記憶される。また、記憶部２２には、操作キー４ａ等のデータ入力部の操作を介して入力された被検者の体重や身長、歩幅等の個人データも記憶される。また、歩数センサー１３と歩数計測部１４とにより構成される歩数測定手段によってカウントされた歩数も記憶部２２に記憶される。
【００４３】
また、記憶部２２は、鼓動の感知の入力に対して対応する時間を記憶部２２に記憶することなく、鼓動の感知の入力をカウントするのみの操作訓練モードを実行する回数（Ｎ１）について、前記データ入力キーにより入力された回数（Ｎ１）が記憶されるようになっている。また、鼓動の感知の入力を時間とともに測定する回数（Ｎ２）について、前記データ入力キーにより入力された回数（Ｎ２）が記憶部２２に記憶されるようにされている。
【００４４】
そして、図２に示されるカウント入力部１６は、鼓動感知スイッチ１５の操作に対応して、後に説明する同期パルス信号を演算処理部２０に出力する。即ち、カウント入力部１６が、鼓動感知スイッチ１５が一回押される毎に、演算処理部２０に対して同期パルス信号を一つ出力することにより、演算処理部２０へ出力された同期パルス信号のパルスの数を介して、測定者が感知した鼓動の数がカウントされるようにされている。
【００４５】
かかるカウント入力部１６の動作に関して、図３も参酌しつつ説明する。
図３において、図３（ａ）は、測定者の心臓の鼓動に対応して生ずる脈拍の時間に対する特性を表しており、横方向が時間の経過に対応しており、縦方向が脈泊の強さに対応している。この図３（ａ）に示される脈拍の各々に対して、測定者が手首等に対する触診によって感知すると、これに対応して鼓動感知スイッチ１５を押す操作が行われる。
【００４６】
図３（ｂ）は、鼓動感知スイッチ１５の操作に対して、測定装置１０において処理される各信号、及びそれら信号間のタイミングを示している。図３（ｂ）において、横方向は時間の経過に対応しており、縦方向は各信号の電圧値に対応している。
【００４７】
鼓動感知スイッチ１５が一回押されると、図３（ｂ）に示される同期カウント入力信号として、一つの方形波パルスがカウント入力部１６に入力される。この同期カウント入力信号のパルス幅は、連続する二つの脈拍間の時間に比べて十分に短い時間であるが、測定者が鼓動感知スイッチ１５を押している時間に応じて変動する。
【００４８】
次に、図３（ｂ）に示される基準パルス信号は、この測定装置１０に組み込まれる演算処理部２０を動作させる基準となるクロック信号から所定の周波数のパルス信号に分周して得られたものであり、測定しようとする脈拍に対して少なくとも１０倍以上の周波数であることが望ましく、６０Ｈｚ（ヘルツ）以上の周波数とするのが望ましい。この基準パルス信号は、カウント入力部１６に入力されるようにされている。
【００４９】
そして、前記同期カウント信号がカウント入力部１６に入力されると、即ち、同期カウント信号のパルス電圧の立ち上がりがカウント入力部１６にて検出されると、その後の最初の基準パルス（の立ち上がり）に同期して同期パルス信号を発生するようにされている。例えば、図３（ｂ）に示されるように、同期カウント入力信号の一つのパルスＳＣ１が立ち上がると、その後の最初の基準パルス信号Ｂ１に同期して、同期パルス信号Ｓ１が出力される。
【００５０】
この同期パルス信号は、パルス幅が全てのパルスについて略一定とされる信号である。そして、この同期パルス信号は、カウント入力部１６より演算処理部２０へ出力される。
【００５１】
次に、この測定装置１０を使用する例について、鼓動測定ルーチンのフローチャートを表す図４を参酌しつつ説明する。まず、切り替えキー８を操作することにより、脈拍・心拍測定モードが選択される。そして、特に図４に図示されない手順により、鼓動の感知の入力をカウントするのみの操作訓練モードを実行する回数Ｎ１、及び鼓動の感知の入力を時間とともに測定する回数Ｎ２が、入力キーを操作することによって入力される。
【００５２】
そして、人体の鼓動である脈拍の測定がスタートされ（Ｓ１）、脈泊の数をカウントするためのカウント変数ｎに初期値として０がセットされる（Ｓ２）。次に、測定者が、手首等への触診により脈泊を感知し、鼓動感知スイッチ１５を押す操作を行うと、かかる脈拍の感知がカウント入力される（Ｓ３）。そして、脈拍の感知が一つカウント入力される毎に、即ちＳ３の手順が実行される毎にカウント変数に１が加えられる（Ｓ４）。
【００５３】
次に、カウント変数ｎがＮ１と比較される（Ｓ５）。ｎがＮ１より大きくない場合（Ｓ５、ＮＯ）には、ｎがＮ１に等しいか否かが判断される（Ｓ６）。Ｓ６において、ｎがＮ１に等しくない場合（Ｓ６、ＮＯ）には、Ｓ３以降の手順が繰り返される。Ｓ６において、ｎがＮ１に等しい場合（Ｓ６、ＹＥＳ）には、タイマー２３の動作がスタートされて一回目の時間計測がスタートされ（Ｓ７）、Ｓ３以降の手順が繰り返される。
【００５４】
このＳ３からＳ７に至る手順は、操作訓練モードとして実行されるのであり、鼓動の感知のみが入力され、その対応する時間の記憶部２２への記憶は行われない。この操作訓練モードが実行されることによって、測定者の鼓動の感知に対する鼓動感知スイッチ１５の操作の練習を行うことができ、脈拍の一つ一つを触診で感知して鼓動感知スイッチ１５により入力する操作の正確性を高めることができる。これにより、後に脈拍の数を時間とともに測定する場合に、脈拍の感知に対する鼓動感知スイッチ１５の操作を正確に行えるので、脈拍とその時間とを対応させた測定を正確に行うことができる。
【００５５】
一方、Ｓ５の手順において、ｎがＮ１より大きい場合には（Ｓ５、ＹＥＳ）、タイマー２３により、（ｎ−Ｎ１）回目の時間の計測として、脈拍間隔Ｔn-N1が計測される（Ｓ８）。また、この計測された時間は、カウント変数ｎにセットされている数と対応付けて記憶部２２に記憶される（Ｓ８）。
【００５６】
次に、カウント変数ｎよりＮ１を減ずる演算が行われる（Ｓ９）。Ｓ９の手順において、ｎよりＮ１を減じた結果がＮ２に等しくない場合（Ｓ９、ＮＯ）には、タイマー２３がリセットされた（Ｓ１０）後、タイマー２３がリスタートされ（Ｓ１１）、Ｓ３以降の手順が繰り返される。
【００５７】
Ｓ９の手順において、ｎよりＮ１を減じた結果がＮ２に等しい場合（Ｓ９、ＹＥＳ）には、測定されるべき心拍数Ｎ２のカウントは終了したので、タイマー２３がリセットされる（Ｓ１２）。また、Ｓ９において、心拍数Ｎ２のカウントを終了したことは、図４に図示されない手順により表示部７に表示される。
【００５８】
次に、以上の手順により記憶部２２に記憶された各脈拍の入力に対する時間Ｔ1、Ｔ2、・・・、ＴN2及び脈泊の測定数Ｎ２によって、平均脈拍間隔Ｔ（秒）が求められる。即ち、Ｔ1、Ｔ2、・・・、ＴN2の総和を求め、これをＮ２で除する演算によって、平均脈拍間隔Ｔ（秒）が求められる（Ｓ１３）。また、求められた平均脈拍間隔Ｔ（秒）は記憶部２２に記憶される（Ｓ１３）。
【００５９】
次に、単位時間当たりの脈拍数として、１分間あたりの脈拍数Ｎが（６０／Ｔ）の演算によって求められる（Ｓ１４）。求められた単位時間あたりの脈拍数Ｎは表示部７に表示される（Ｓ１５）。
【００６０】
以上の鼓動測定ルーチンでは、平均脈拍間隔Ｔを求めるにあたり、Ｎ２回の時間の測定を行い、その平均を求めるようにしている。従って、この測定を行う回数であるＮ２について前記Ｔを精度良く求め得る回数をデータ入力部より入力しておくと、一分間当たり（単位時間当たり）の鼓動の数Ｎについても精度良く測定することができる。
【００６１】
以上の鼓動測定ルーチンの実行に関して、カウント入力部１６より演算処理部２０へ入力される同期パルス信号との関係について、図５により説明する。図５は、以上に説明した同期パルス信号のタイミングを示す図である。
【００６２】
同期パルス信号の最初のパルスから数えてＮ１個のパルスが出力されるまでの間は、操作訓練モードとして実行されるのであり、この間のパルスの入力に対して、その時間は記憶部２２に記憶されない。次に、同期パルス信号の（Ｎ１＋１）個からＮ２個のパルスが入力される間は、各パルスの入力に対して一つ前に入力されたパルスとの間の時間がタイマー２３により測定され、この時間は脈拍間隔として記憶部２２に記憶される。
【００６３】
なお、タイマー２３により測定する時間について、二つの脈拍間の脈拍間隔を測定する代わりに、脈拍の感知が入力された時間を脈拍の各々について測定し、この測定された時間に基づいて脈拍間隔を求めるようにしてもよい。
【００６４】
また、以上の測定装置１０の使用例の説明では、手首等への触診により脈拍を測定するとして説明したが、胸等に対する触診により心拍を測定するのであってもよく、この場合には触診による心拍の感知が鼓動感知スイッチ１５の操作によって入力される。
【００６５】
また、以上の測定装置１０の使用例の説明では、脈拍等の鼓動の数を測定するとして説明したが、さらに、測定された鼓動の数に基づく運動強度を求め、これを表示部７に表示するようにしてもよい。
【００６６】
また、以上に説明した測定装置１０を使用する例では、脈拍の測定のみを行う例を挙げて説明したが、切り替えキー８の操作によって所要の機能のモードを選択することにより、以下に説明するように、鼓動の測定を行う機能と歩数を測定する機能と体脂肪を測定する機能の複数の機能を組み合わせた測定を行うこともできる。
【００６７】
例えば、測定者が一定の歩行や走行等の一定の運動量を伴う運動を行い、その運動に伴う運動強度を求めるようにして使うこともできる。このようにして使用する場合、歩行や走行等の運動を行いつつ、測定装置１０に組み込まれている歩数測定手段を用い、前記歩行等に伴う運動量としての歩数の測定を行う。そして、脈拍や心拍等の鼓動の測定を行うことにより、運動を行った後の単位時間当たりの鼓動の数を求める。この運動を行った後に測定される鼓動の数に基づき運動強度を求めることができる。
【００６８】
また、歩数測定手段により測定される歩行等の運動を行う前における、即ち測定者の身体の安静時における単位時間当たりの鼓動の数を予め測定しておき、運動を行った後に測定された単位時間当たりの鼓動の数との差に基づいて運動強度を求めることもできる。
【００６９】
このように、一定の歩行や走行等の運動に伴う歩数を測定しつつ、鼓動の数の測定に基づく運動強度を求めるようにすると、定量的な運動量としての歩数を媒介とした運動強度を知ることができる。
【００７０】
また、この運動強度のデータにより、測定者の心肺持久力の程度を知ることができ、さらには測定者の体力レベルを判定するための指標として用いることもできる。
【００７１】
また、以上の鼓動の数の測定に基づき求められる運動強度と、歩数測定手段により測定される歩行時間や歩行距離と、体重や基礎代謝量等の個人データとに基づく運動に伴う消費エネルギー（消費カロリー）を求めるようにして用いることもできる。
【００７２】
また、切り替えキー８の操作により、体脂肪を測定する機能と歩数を測定する機能とを組み合わせて用いるモードを選択することで、以下のように使用することもできる。例えば、歩数測定手段により歩行や走行等の運動に対する歩数を求め、この歩数に相当する運動量に対応する消費カロリーを求めるとともに、前記歩行等の運動を行う前後での体脂肪の減少量を求めることにより、消費カロリーと体脂肪量の減少量との関係を知ることができる。
【００７３】
なお、以上の説明では、測定者の運動量を測定するための運動量測定手段として、脚部を前後させる運動による歩行等に伴う運動量を測定する歩数測定手段の例により説明したが、歩数測定手段以外の運動量測定手段を用いるのであっても構わない。
【００７４】
即ち、運動量測定手段として、測定者の身体の運動に伴う運動量を何らかの基準で定量的に測定できるのであれば、いかなる種類の運動に対するものであっても構わない。測定者の身体を動かす運動がいかなる種類のものであっても、その運動量を定量的に測定できるのであれば、該測定された運動量を媒介として、単位時間当たりの鼓動の数や、運動強度等を知ることができるからである。
【００７５】
【発明の効果】
以上に説明したように、本発明の人体の鼓動の測定装置によると、比較的に簡単な操作で鼓動を測定できるという効果を奏する。そして、脈圧センサや光学センサ等の複雑な機構を要することなく、簡易な構成にできるという効果も奏する。
【図面の簡単な説明】
【図１】人体の鼓動の測定装置の斜視図である。
【図２】人体の鼓動の測定装置のブロック図である。
【図３】図３（ａ）は、脈拍（鼓動）の強さの時間的な特性を表す図である。
図３（ｂ）は、測定装置で処理される各信号のタイミングを表す図である。
【図４】鼓動測定ルーチンのフローチャートを表す図である。
【図５】同期パルス信号のタイミングを表す図である。
【符号の説明】
１      鼓動の測定装置の本体
１ａ    本体の表面
１ｂ    本体の裏面
１ｃ    正面側の端面
１ｄ    背面側の端面
２ａ、２ｂ    電流路形成電極
３ａ、３ｂ    電圧計測用電極
４ａ    デクリメントキー
４ｂ    インクリメントキー
５      選択キー
６      操作部
７      表示部
８      切り替えキー
９      開始／終了キー
１０      人体の鼓動の測定装置
１１      取り付け具
１３      歩数センサー
１４      歩数計測部
１５      鼓動感知スイッチ
１６      カウント入力部
２０      演算処理部
２１      演算部
２２      記憶部
２３      タイマー
【図１】
0004597327.tif 000002
【図２】
0004597327.tif 000003
【図３】
0004597327.tif 000004
【図４】
0004597327.tif 000005
【図５】
0004597327.tif 000006